(57)【要約】  本発明による基板対基板タイプのコネクタは、複数個のメス端子が互いに対称であるように列をなして結合された結合溝が上面に形成されたメスコネクタホルダーと、前記結合溝に嵌め結合され、前記メス端子と電気的接点を形成する複数個のメス端子とが互いに対称であるように列をなして結合された結合突起が上面枠から突設されたオスコネクタホルダーと、を備え、前記メス端子は、前記結合溝に収容される‘Ｕ’字形収容部と、前記収容部の両側面の中途で結合溝の内側方向にそれぞれ突出した第１係止突起と、を備え、前記オス端子は、前記結合突起の外周面に沿って形成された‘Ｕ’字形挿入部と、前記挿入部の両側面の中途で結合突起の外側方向にそれぞれ突出した第２係止突起と、を備え、前記メス及びオス端子は、第１係止突起と第２係止突起との弾性変形により互いに着脱されることを特徴とする。  したがって、本発明による基板対基板タイプのコネクタは、前記メス及びオス端子の着脱時にメス端子が両側方向に対称的に変形される構成であるため、前記着脱時に伴う応力が両側に分散されることで、長時間使用する場合にも、前記メス及びオス端子の結合状態を安定的に維持することができるという長所がある。
2012532422.tif 000002
【特許請求の範囲】
【請求項１】
複数個のメス端子が互いに対称であるように列をなして結合された結合溝が上面に形成されたメスコネクタホルダーと、
前記結合溝に嵌め結合され、前記メス端子と電気的接点を形成する複数個のメス端子とが互いに対称であるように列をなして結合された結合突起が上面枠から突設されたオスコネクタホルダーと、を備え、
前記メス端子は、前記結合溝に収容される‘Ｕ’字形収容部と、前記収容部の両側面の中途で結合溝の内側方向に対称的に突出した第１係止突起と、を備え、
前記オス端子は、前記結合突起の外周面に沿って形成された‘Ｕ’字形挿入部と、前記挿入部の両側面の中途で結合突起の外側方向に対称的に突出した第２係止突起と、を備え、
前記メス及びオス端子は、前記第１係止突起と第２係止突起との弾性変形により互いに着脱されることを特徴とする基板対基板タイプのコネクタ。
【請求項２】
前記第１係止突起は、収容部の入口から前記挿入部の挿入方向に沿って突出した高さが次第に増加する第１傾斜部と、前記第１傾斜部から延びて、前記挿入方向に沿って突出した高さが次第に減少する第２傾斜部とから構成され、
前記第１及び第２傾斜部の接点間の幅は、前記挿入部の両側面間の幅より狭く、前記第１傾斜部より第２傾斜部の傾斜度がさらに大きいように構成されたことを特徴とする請求項１に記載の基板対基板タイプのコネクタ。
【請求項３】
前記嵌め結合時に第１係止突起の変形を容易にするために、前記結合溝の内壁面と前記収容部との間には、空間部が形成されたことを特徴とする請求項２に記載の基板対基板タイプのコネクタ。
【請求項４】
前記収容部の両側面と底面とは、前記第１係止突起の変形による衝撃を緩衝可能に傾斜面により連結されたことを特徴とする請求項３に記載の基板対基板タイプのコネクタ。
【請求項５】
前記第２係止突起は、挿入部の挿入方向に沿って突出した高さが次第に増加する第３傾斜部、前記第３傾斜部から挿入部の両側面と平行な方向に延設された直線接点部、及び前記直線接点部と挿入部の底面とを連結し、前記挿入方向に沿って突出した高さが次第に減少する第４傾斜部から構成され、
前記嵌め結合時に、収容部の両側面と第２係止突起の直線接点部との間、及び前記第１係止突起と挿入部の両側面との間に電気的接点が形成されることを特徴とする請求項２に記載の基板対基板タイプのコネクタ。
【請求項６】
前記メス端子は、前記収容部の両端から延びて、結合溝の両側にそれぞれ形成された第１固定溝に結合されたメス端子固定部と、前記メス端子固定部と垂直であり、メスコネクタホルダーの外側に形成されたメス端子溶着部と、をさらに備え、
前記メス端子溶着部は、第１溶着傾斜部により前記メス端子固定部の一側端部と連結され、前記第１溶着傾斜部の幅は、メス端子溶着部の幅及びメス端子固定部の幅より狭いことを特徴とする請求項１ないし５のうちいずれか一項に記載の基板対基板タイプのコネクタ。
【請求項７】
前記メス端子固定部それぞれの両側には、前記メスコネクタホルダーからメス端子が剥離されることを防止するための少なくとも一つの第１くさび形突起が形成され、
前記メス端子をメスコネクタホルダーに結合する場合、メス端子溶着部が連結されていない前記メス端子固定部の他側端部を前記第１固定溝に案内するために、前記メス端子固定部の他側端部の断面積は、結合方向に沿って次第に減少することを特徴とする請求項６に記載の基板対基板タイプのコネクタ。
【請求項８】
前記オス端子は、前記挿入部の両端から延びて、結合突起の両側にそれぞれ形成された第２固定溝に結合されたオス端子固定部と、前記オス端子固定部と垂直であり、オスコネクタホルダーの外側に形成されたオス端子溶着部と、をさらに備え、
前記オス端子溶着部は、第２溶着傾斜部により前記オス端子固定部の一側端部と連結され、前記第２溶着傾斜部の幅は、オス端子溶着部の幅及びオス端子固定部の幅より狭いことを特徴とする請求項１ないし５のうちいずれか一項に記載の基板対基板タイプのコネクタ。
【請求項９】
前記オス端子固定部それぞれの両側には、前記オスコネクタホルダーからメス端子が剥離されることを防止するための少なくとも一つの第２くさび形突起が形成され、
前記オス端子をオスコネクタホルダーに結合する場合、オス端子溶着部が連結されていない前記オス端子固定部の他側端部を前記第２固定溝に案内するために、前記オス端子固定部の他側端部の断面積は、結合方向に沿って次第に減少することを特徴とする請求項８に記載の基板対基板タイプのコネクタ。
【請求項１０】
前記結合溝と結合突起とは、それぞれ‘ロ’字状であり、
前記メス端子が結合されていない結合溝の枠、または前記メス端子が結合されていない結合突起の枠のうち少なくともいずれか一つには、前記嵌め結合時に結合突起を結合溝に案内するための曲線または直線状のチャンファーが形成されたことを特徴とする請求項１ないし５のうちいずれか一項に記載の基板対基板タイプのコネクタ。
【請求項１１】
前記メス端子が結合されていないメスコネクタホルダーの外側面、及び前記メス端子が結合されていないオスコネクタホルダーの外側面それぞれには、高さ方向に沿って内側方向に段差部が形成されたことを特徴とする請求項１０に記載の基板対基板タイプのコネクタ。
【請求項１２】
前記オスコネクタホルダーの内部の底面には、前記嵌め結合時に、メス端子の変形を収容するための逃避溝が形成されたことを特徴とする請求項１ないし５のうちいずれか一項に記載の基板対基板タイプのコネクタ。
【請求項１３】
前記第１係止突起は、前記収容部の両側の外側面から対称的に対向するように、それぞれの内側面の方向に向かってベンディングまたはエンボシングまたはスリッティング成形工程を通じて突設され、前記第２係止突起は、前記挿入部の対向する内側面から両側の外側面の方向に向かって対称的に対向するように、ベンディングまたはエンボシングまたはスリッティング成形工程を通じて突設され、
前記メス及びオス端子は、前記収容部と挿入部との弾性変形により接触されるが、前記第１係止突起は、挿入部に接触され、第２係止突起は、収容部に接触されることを特徴とする請求項１に記載の基板対基板タイプのコネクタ。
【請求項１４】
前記第１係止突起は、収容部の入口から前記挿入部の挿入方向に沿って突出した高さが次第に増加する第１傾斜部と、前記第１傾斜部から延びて、前記挿入方向に沿って突出した高さが次第に減少する第２傾斜部とから構成され、
前記収容部の内側面に互いに対向して形成された第１係止突起間の幅は、前記挿入部の両側面間の幅より狭く、前記第１傾斜部より第２傾斜部の傾斜度がさらに大きいようにくさび状に構成されたことを特徴とする請求項１３に記載の基板対基板タイプのコネクタ。
【請求項１５】
前記第２係止突起は、挿入部の挿入方向に沿って突出した高さが次第に増加する第３傾斜部、前記第３傾斜部から挿入部の両側面と平行な方向に延設された直線接点部、及び前記直線接点部に連結され、前記挿入方向に沿って突出した高さが次第に減少するくさび状の第４傾斜部から構成され、
前記第４傾斜部の傾斜度は、前記第１傾斜部の傾斜度と同一に形成され、前記嵌め結合時に、収容部の内側面と第２係止突起の直線接点部との間、及び前記第１係止突起と挿入部の両側面との間に電気的接点が形成されることを特徴とする請求項１４に記載の基板対基板タイプのコネクタ。
【請求項１６】
前記メス及びオス端子の結合による前記第１係止突起と第２係止突起との結合時に、前記第１係止突起の第１傾斜部と第２係止突起の第４傾斜部とが互いに出合って対称的に結合されるように構成されたことを特徴とする請求項１５に記載の基板対基板タイプのコネクタ。
【請求項１７】
前記第１及び第２係止突起には、その両側面が互いに連通するように、スリッティング成形工程により切欠き部が形成されることを特徴とする請求項１５に記載の基板対基板タイプのコネクタ。
【発明の詳細な説明】
【技術分野】
【０００１】
本発明は、基板対基板タイプのコネクタに係り、より詳しくは、電気的接点を形成するメス及びオス端子の両側に対称形係止突起を形成して、前記メス及びオス端子間の結合力を向上させ、前記メス端子に作用する応力を両側に分散させることで、前記基板対基板タイプのコネクタを長時間使用する場合にも、メス及びオス端子間の電気的接触状態を安定的に維持することができる基板対基板タイプのコネクタに関する。
【背景技術】
【０００２】
一般的に、電気、電子産業分野に使われる電気コネクタは、二つ以上の電気または電子部品を互いに電気的に連結するための手段であって、電気、電子産業が発展するにつれて、その使用頻度がさらに増加する勢いであり、特に、二つ以上の部品を一体に生産することが困難であるか、または別個に生産することがさらに効率的な場合にさらにそうである。
【０００３】
このような電気コネクタは、複数個のメス端子が備えられたメスコネクタホルダーと、複数個のオス端子が備えられたオスコネクタホルダーとから構成されており、それらの物理的な結合により、前記メス及びオス端子が安定的な電気的接触状態を維持することで、常に一定の電流を流すことができる。
【０００４】
前記のような構成及び機能を有する電気コネクタの具体的な構成は、特許文献１に詳細に開示されているが、特に、特許文献１は、一対の基板を電気的に連結する基板対基板タイプのコネクタに関するものである。
【０００５】
すなわち、前記基板対基板タイプのコネクタは、図１及び図２に示すように、複数個のメス端子２２が互いに対称であるように列をなして結合されたメスコネクタホルダー２０と、複数個のオス端子１２が互いに対称であるように列をなして結合されたオスコネクタホルダー１０とから構成される。
【０００６】
この時、前記メスコネクタホルダー２０とオスコネクタホルダー１０とは、互いに物理的に結合される構造を有し、メスコネクタホルダー２０とオスコネクタホルダー１０とが結合される場合、前記メス端子２２とオス端子１２とは電気的接点をなす。
【０００７】
このために、前記オス端子１２には、メス端子２２に挿入される‘Ｕ’字形挿入部１２ａが形成されており、前記メス端子２２には、前記挿入部１２ａが嵌め結合される‘Ｕ’字形収容部２２ｃが形成されているが、前記挿入部１２ａと収容部２２ｃとの物理的結合を通じて、メス及びオス端子１２，２２の安定的な電気的接触状態を維持させることができる。
【０００８】
しかし、前記従来の技術による基板対基板タイプのコネクタの場合、メス端子２２の一側部分２２ｃ２が弾性変形されて、オス端子１２と電気的接点を形成する構成であるため、小さい力でも前記メス及びオス端子２２，１２の結合が容易であるという長所はあるが、これと逆に、小さい衝撃にも前記メス及びオス端子２２，１２の結合が分離されやすいという問題点がある。
【０００９】
また、前記メス及びオス端子２２，１２の着脱時に伴う変形による応力が前記メス端子２２の一側部分２２ｃ２のみに集中するため、長時間使用時に前記変形される部分の弾性力が低減して、メス及びオス端子２２，１２間の電気的接点が安定的に維持されないという問題点がある。
【００１０】
また、前記従来の技術による基板対基板タイプのコネクタの場合、オス端子１２に非対称的に形成された突起１２ｄ１，１２ｄ２と、メス端子の一側に形成された突起２２ｄとにより、前記メス端子の一側部分２２ｃ２が変形されて、メス及びオス端子２２，１２が結合される構成であるため、結合瞬間のクリック感が低下するという短所がある。
【００１１】
これによって、前記メス及びオス端子２２，１２が正常に結合されたか否かをユーザーが明確に認識できないため、基板間の電気的接触が不良な状態で、前記基板が適用された電気製品を使用することで、前記電気製品の誤作動及び損傷をもたらすという問題点がある。
【先行技術文献】
【特許文献】
【００１２】
【特許文献１】韓国公開特許第2007-0116706号(2007.12.11公開)
【発明の概要】
【発明が解決しようとする課題】
【００１３】
本発明は、前記のような従来の技術の問題点を解決するためのものであって、本発明の目的は、メス及びオス端子間の結合には、小さい力が要求されるが、前記メス及びオス端子間の分離には、相対的に大きい力が要求されるメス及びオス端子の結合構造を備えた基板対基板タイプのコネクタを提供するためのものである。
【００１４】
また、本発明の他の目的は、メス及びオス端子の着脱時に、前記メス端子に作用する応力を分散させることで、基板対基板タイプのコネクタを長時間使用する場合にも、前記メス及びオス端子間の電気的接触状態を安定的に維持することができる基板対基板タイプのコネクタを提供するためのものである。
【００１５】
また、本発明のさらに他の目的は、メス及びオス端子の結合時にクリック感を向上させて、ユーザーが、前記メス及びオス端子が正常に結合されたか否かを明確に認識可能にする基板対基板タイプのコネクタを提供するためのものである。
【課題を解決するための手段】
【００１６】
前記目的を達成するために、本発明による基板対基板タイプのコネクタは、複数個のメス端子が互いに対称であるように列をなして結合された結合溝が上面に形成されたメスコネクタホルダーと、前記結合溝に嵌め結合され、前記メス端子と電気的接点を形成する複数個のメス端子とが互いに対称であるように列をなして結合された結合突起が上面枠から突設されたオスコネクタホルダーと、を備え、前記メス端子は、前記結合溝に収容される‘Ｕ’字形収容部と、前記収容部の両側面の中途で結合溝の内側方向に対称的に突出した第１係止突起と、を備え、前記オス端子は、前記結合突起の外周面に沿って形成された‘Ｕ’字形挿入部と、前記挿入部の両側面の中途で結合突起の外側方向に対称的に突出した第２係止突起と、を備え、前記メス及びオス端子は、互いに対称をなす前記第１係止突起と第２係止突起との弾性変形により互いに着脱されることを特徴とする。
【００１７】
また、前記第１係止突起は、収容部の入口から前記挿入部の挿入方向に沿って突出した高さが次第に増加する第１傾斜部と、前記第１傾斜部から延びて、前記挿入方向に沿って突出した高さが次第に減少する第２傾斜部とから構成され、前記第１及び第２傾斜部の接点間の幅は、前記挿入部の両側面間の幅より狭く、前記第１傾斜部より第２傾斜部の傾斜度がさらに大きいように構成されたことを特徴とする。
【００１８】
また、前記嵌め結合時に第１係止突起の変形を容易にするために、前記結合溝の内壁面と前記収容部との間には、空間部が形成されたことを特徴とする。
【００１９】
また、前記収容部の両側面と底面とは、前記第１係止突起の変形による衝撃を緩衝可能に傾斜面により連結されたことを特徴とする。
【００２０】
また、前記第２係止突起は、挿入部の挿入方向に沿って突出した高さが次第に増加する第３傾斜部、前記第３傾斜部から挿入部の両側面と平行な方向に延設された直線接点部、及び前記直線接点部と挿入部の底面とを連結し、前記挿入方向に沿って突出した高さが次第に減少する第４傾斜部から構成され、前記嵌め結合時に、収容部の両側面と第２係止突起の直線接点部との間、及び前記第１係止突起と挿入部の両側面との間に電気的接点が形成されることを特徴とする。
【００２１】
また、前記メス端子は、前記収容部の両端から延びて、結合溝の両側にそれぞれ形成された第１固定溝に結合されたメス端子固定部と、前記メス端子固定部と垂直であり、メスコネクタホルダーの外側に形成されたメス端子溶着部と、をさらに備え、前記メス端子溶着部は、第１溶着傾斜部により前記メス端子固定部の一側端部と連結され、前記第１溶着傾斜部の幅は、メス端子溶着部の幅及びメス端子固定部の幅より狭いことを特徴とする。
【００２２】
また、前記メス端子固定部それぞれの両側には、前記メスコネクタホルダーからメス端子が剥離されることを防止するための少なくとも一つの第１くさび形突起が形成され、前記メス端子をメスコネクタホルダーに結合する場合、メス端子溶着部が連結されていない前記メス端子固定部の他側端部を前記第１固定溝に案内するために、前記メス端子固定部の他側端部の断面積は、結合方向に沿って次第に減少することを特徴とする。
【００２３】
また、前記オス端子は、前記挿入部の両端から延びて、結合突起の両側にそれぞれ形成された第２固定溝に結合されたオス端子固定部と、前記オス端子固定部と垂直であり、オスコネクタホルダーの外側に形成されたオス端子溶着部と、をさらに備え、前記オス端子溶着部は、第２溶着傾斜部により前記オス端子固定部の一側端部と連結され、前記第２溶着傾斜部の幅は、オス端子溶着部の幅及びオス端子固定部の幅より狭いことを特徴とする。
【００２４】
また、前記オス端子固定部それぞれの両側には、前記オスコネクタホルダーからメス端子が剥離されることを防止するための少なくとも一つの第２くさび形突起が形成され、前記オス端子をオスコネクタホルダーに結合する場合、オス端子溶着部が連結されていない前記オス端子固定部の他側端部を前記第２固定溝に案内するために、前記オス端子固定部の他側端部の断面積は、結合方向に沿って次第に減少することを特徴とする。
【００２５】
また、前記結合溝と結合突起とは、それぞれ‘ロ’字状であり、前記メス端子が結合されていない結合溝の枠、または前記オス端子が結合されていない結合突起の枠のうち少なくともいずれか一つには、前記嵌め結合時に結合突起を結合溝に案内するための曲線または直線状のチャンファーが形成されたことを特徴とする。
【００２６】
また、前記メス端子が結合されていないメスコネクタホルダーの外側面、及び前記オス端子が結合されていないオスコネクタホルダーの外側面それぞれには、高さ方向に沿って内側方向に段差部が形成されたことを特徴とする。
【００２７】
また、前記オスコネクタホルダーの内部の底面には、前記嵌め結合時にメス端子の変形を収容するための逃避溝が形成されたことを特徴とする。
【００２８】
一方、前記第１係止突起は、前記収容部の両側の外側面から対称的に対向するように、それぞれの内側面の方向に向かってベンディングまたはエンボシングまたはスリッティング成形工程を通じて突設され、前記第２係止突起は、前記挿入部の対向する内側面から両側の外側面の方向に向かって対称的に対向するように、ベンディングまたはエンボシングまたはスリッティング成形工程を通じて突設され、前記メス及びオス端子は、前記収容部と挿入部との弾性変形により接触されるが、前記第１係止突起は、挿入部に接触され、第２係止突起は、収容部に接触されることを特徴とする。
【００２９】
この場合、前記第２係止突起は、挿入部の挿入方向に沿って突出した高さが次第に増加する第３傾斜部、前記第３傾斜部から挿入部の両側面と平行な方向に延設された直線接点部、及び前記直線接点部に連結され、前記挿入方向に沿って突出した高さが次第に減少するくさび状の第４傾斜部から構成され、前記第４傾斜部の傾斜度は、前記第１傾斜部の傾斜度と同一に形成され、前記嵌め結合時に、収容部の内側面と第２係止突起の直線接点部との間、及び前記第１係止突起と挿入部の両側面との間に電気的接点が形成されることを特徴とする。
【００３０】
また、前記メス及びオス端子の結合による前記第１係止突起と第２係止突起との結合時に、前記第１係止突起の第１傾斜部と第２係止突起の第４傾斜部とが互いに出合って対称的に結合されるように構成されたことを特徴とする。
【００３１】
また、前記第１及び第２係止突起には、その両側面が互いに連通するように、スリッティング成形工程により切欠き部が形成されることを特徴とする。
【発明の効果】
【００３２】
本発明による基板対基板タイプのコネクタは、メス端子に形成された第１係止突起において、オス端子が挿入される方向の傾斜度より、前記オス端子を分離する方向の傾斜度をさらに大きく構成して、前記メス及びオス端子の結合時より分離時に、さらに大きい力を要求することで、前記メス及びオス端子の結合状態を安定的に維持することができるという長所がある。
【００３３】
また、本発明による基板対基板タイプのコネクタは、前記メス及びオス端子の着脱時に、メス端子が両側方向に対称的にテンション作動する構成であるため、前記着脱時に伴う応力が両側に分散されることで、長時間使用する場合にも、前記メス及びオス端子の結合状態を安定的に維持することができるという長所がある。
【００３４】
また、本発明による基板対基板タイプのコネクタは、前記メス及びオス端子の着脱時に、メス及びオス端子の両側にそれぞれ対称的に形成された収容部及び挿入部の弾性的変形及び復元によってクリック感を向上させることで、ユーザーが、前記メス及びオス端子が正常に結合されたか否かを明確に認識することができるという長所がある。
【図面の簡単な説明】
【００３５】
【図１】及び
【図２】従来の技術による基板対基板タイプのコネクタを構成するオスコネクタホルダー及びメスコネクタホルダーを示す断面図である。
【図３】及び
【図４】本発明の第１実施形態による基板対基板タイプのコネクタを構成するメスコネクタホルダー及びオスコネクタホルダーを示す斜視図である。
【図５】前記メスコネクタホルダーとオスコネクタホルダーとの結合状態を示す斜視図である。
【図６】及び
【図７】本発明の第１実施形態による基板対基板タイプのコネクタのメス端子及びオス端子の構成を示す斜視図である。
【図８】前記メス端子とオス端子との結合直前の状態を示す図面である。
【図９】前記メス端子とオス端子とが結合された状態を示す断面図である。
【図１０】及び
【図１１】本発明の第２実施形態による基板対基板タイプのコネクタを構成するメスコネクタホルダーとオスコネクタホルダーとを示す斜視図である。
【図１２】前記メスコネクタホルダーとオスコネクタホルダーとの結合状態を示す斜視図である。
【図１３Ａ】本発明の第２実施形態による基板対基板タイプのコネクタのうちメス端子の構成の一例を示す斜視図である。
【図１３Ｂ】図１３Ａの他の例を示す斜視図である。
【図１４Ａ】本発明の第２実施形態による基板対基板タイプのコネクタのうちオス端子の構成の一例を示す斜視図である。
【図１４Ｂ】図１４Ａの他の例を示す斜視図である。
【図１５】本発明の第２実施形態による基板対基板タイプのコネクタのメス端子とオス端子との結合直前の状態を示す図面である。
【図１６】本発明の第２実施形態による基板対基板タイプのコネクタのメス端子とオス端子との結合された状態を示す断面図である。
【発明を実施するための形態】
【００３６】
以下、添付した図面を参照して、本発明による基板対基板タイプのコネクタの望ましい実施形態を詳細に説明する。
【００３７】
本発明は、代表的に超小型狭ピッチの基板対基板タイプのコネクタに適用される。
【００３８】
第１実施形態
図３及び図４は、それぞれ本発明の第１実施形態による基板対基板タイプのコネクタを構成するメスコネクタホルダー１００とオスコネクタホルダー２００とを示す斜視図であり、図５は、前記メスコネクタホルダー１００とオスコネクタホルダー２００との結合状態を示す斜視図である。
【００３９】
図３ないし図５に示すように、本発明による基板対基板タイプのコネクタは、複数個のメス端子１１０が結合されたメスコネクタホルダー１００と、複数個のオス端子２１０が結合されたオスコネクタホルダー２００とを備えて構成される。
【００４０】
この時、前記メスコネクタホルダー１００の上面には、‘ロ’字状の結合溝１１１が下部の垂直方向に形成され、左右方向の前記結合溝１１１には、それぞれ複数個のメス端子１１０が結合される。
【００４１】
また、前記オスコネクタホルダー２００の上面には、前記結合溝１１１に嵌め結合される‘ロ’字状の結合突起２１１が上面枠から突設されるが、左右方向の前記結合突起２１１には、それぞれ前記メス端子１１０と電気的接点を形成する複数個のオス端子２１０とが結合される。
【００４２】
また、前記メス端子１１０が結合されていない結合溝１１１の枠、または前記オス端子２１０が結合されていない結合突起２１１の枠のうち少なくともいずれか一つには、前記嵌め結合時に結合突起２１１を結合溝１１１に容易に案内するための案内部１２０，２２０が形成されるが、前記案内部１２０，２２０は、曲線または直線状のチャンファーで望ましく具現される。
【００４３】
また、前記メス端子１１０が結合されていないメスコネクタホルダー１００の外側面、及び前記オス端子２１０が結合されていないオスコネクタホルダー２００の外側面それぞれには、高さ方向に沿って内側方向に段差部１３０，２３０が形成されている。
【００４４】
この時、前記段差部１３０，２３０は、メスコネクタホルダー１００とオスコネクタホルダー２００それぞれの組立時に位置を制御するために使われ、また、射出成形時に発生するゲートのバー（ｂｕｒｒ）が外部に突出することを防止する機能も行う。
【００４５】
図６及び図７は、それぞれ本発明の第１実施形態による基板対基板タイプのコネクタのメス端子１１０とオス端子２１０との構成を示す斜視図であり、図８は、前記メス端子１１０とオス端子２１０との結合直前の状態を示す図面であり、図９は、前記メス端子１１０とオス端子２１０とが結合された状態を示す断面図である。
【００４６】
本発明による基板対基板タイプのコネクタに備えられた前記メス端子１１０は、前記結合溝１１１に収容される‘Ｕ’字形収容部１１２、前記収容部１１２の両側面の中途で結合溝１１１の内側方向に対称的に突出した第１係止突起１１３、前記収容部１１２の両端から延びて、結合溝１１１の両側にそれぞれ形成された第１固定溝１１５に結合されたメス端子固定部１１０ａ、及び前記メス端子固定部１１０ａと垂直であり、メスコネクタホルダー１００の外側に形成されたメス端子溶着部１１０ｂを備えて構成される。
【００４７】
また、前記第１係止突起１１３は、収容部１１２の入口から後述する挿入部２１２の挿入方向に沿って突出した高さが次第に増加する第１傾斜部１１３ａと、前記第１傾斜部１１３ａから延びて、前記挿入方向に沿って突出した高さが次第に減少する第２傾斜部１１３ｂとから構成される。
【００４８】
この時、前記第１傾斜部１１３ａの傾斜度より第２傾斜部１１３ｂの傾斜度がさらに大きく形成されるが、このような構成によって、本発明による基板対基板タイプのコネクタは、メス及びオス端子１１０，２１０の結合時には、小さい力が要求されるが、前記メス及びオス端子１１０，２１０の分離時には、相対的に大きい力が要求されるため、前記メス及びオス端子１１０，２１０の結合状態を安定的に維持することができるという長所を有する。
【００４９】
一方、前記オス端子２１０は、前記結合突起２１１の外周面に沿って形成された‘Ｕ’字形挿入部２１２、前記挿入部２１２の両側面の中途で結合突起２１１の外側方向に対称的に突出した第２係止突起２１３、前記挿入部２１２の両端から延びて、結合突起２１１の両側にそれぞれ形成された第２固定溝２１５に結合されたオス端子固定部２１０ａ、及び前記オス端子固定部２１０ａと垂直であり、オスコネクタホルダー２００の外側に形成されたオス端子溶着部２１０ｂを備えて構成される。
【００５０】
また、前記第２係止突起２１３は、挿入部２１２の挿入方向に沿って突出した高さが次第に増加する第３傾斜部２１３ａ、前記第３傾斜部２１３ａから挿入部の両側面２１２ａと平行な方向に延設された直線接点部２１３ｂ、及び前記直線接点部２１３ｂと挿入部の底面２１２ｂとを連結し、前記挿入方向に沿って突出した高さが次第に減少する第４傾斜部２１３ｃから構成される。
【００５１】
この時、前記第４傾斜部２１３ｃの傾斜度は、メス端子１１０に形成された第１傾斜部１１３ａの傾斜度と同一または類似して構成することで、前記メス及びオス端子１１０，２１０の結合時に、小さい力でも挿入部２１２を収容部１１２の内部に挿入させることが望ましい。
【００５２】
前記のような構成によって、本発明による基板対基板タイプのコネクタのメス及びオス端子１１０，２１０は、前述したように対称的に形成された前記第１係止突起１１３と第２係止突起２１３との弾性変形により互いに着脱される。
【００５３】
すなわち、前記メス及びオス端子１１０，２１０が結合される場合、オス端子２１０の底面２１２ｂ及び第４傾斜部２１３ｃが、メス端子１１０の第１傾斜部１１３ａに沿って自然に収容部１１２の内部に案内されることで、メス端子１１０の第１係止突起１１３は、左右両側方向に広がり、前記第２係止突起２１３が前記収容部１１２の内部に完全に挿入されれば、弾性によって、前記第１係止突起１１３は本来の位置に復帰する。
【００５４】
この時、前記第１係止突起１１３は、第１及び第２傾斜部１１３ａ，１１３ｂの接点間の幅が、前記挿入部の両側面２１２ａ間の幅より狭く構成されるため、前記第２係止突起２１３が第１係止突起１１３を通過する場合、両側に広がった第１係止突起１１３が弾性力により瞬間的に本来の位置に復帰しつつ、前記挿入部の両側面２１２ａと衝突する。
【００５５】
したがって、前記衝突音により、メス及びオス端子１１０，２１０の結合時にクリック感が向上することで、ユーザーは、前記メス及びオス端子１１０，２１０が正常に結合されたか否かを明確に認識することができるという長所がある。
【００５６】
また、前記メス及びオス端子１１０，２１０を分離する場合、オス端子２１０の第３傾斜部２１３ａが、相対的に傾斜度の大きい第２傾斜部１１３ｂに沿って案内されるため、前述したメス及びオス端子１１０，２１０の結合時よりさらに大きい力が要求され、その結果、前述したように、本発明による基板対基板タイプのコネクタは、メス及びオス端子の結合状態を安定的に維持することができる。
【００５７】
また、前述したように、本発明による基板対基板タイプのコネクタは、メス及びオス端子１１０，２１０の着脱時に、前記メス端子１１０が左右両方向の対称に変形される構成であるため、前記メス及びオス端子１１０，２１０の着脱時に、メス端子１１０に作用する応力が両方向に分散される。
【００５８】
したがって、前記第１係止突起１１３それぞれに作用する応力が従来の技術に比べて大きく減少するため、長時間使用する場合にも、前記メス及びオス端子１１０，２１０の弾性力が維持されて、メス及びオス端子１１０，２１０間の電気的接触を安定的に維持することができるという長所がある。
【００５９】
また、前記直線接点部２１３ｂ間の幅は、収容部の両側面１１２ａ間の幅と同一であるか、またはそれよりわずか大きく形成されるため、本発明による基板対基板タイプのコネクタは、前記メス及びオス端子１１０，２１０の結合時に、収容部の両側面１１２ａと第２係止突起２１３の直線接点部２１３ｂとの間、及び前記第１係止突起１１３と挿入部の両側面２１２ａとの間で二重的に電気的接点が形成される。
【００６０】
また、前記収容部の両側面１１２ａと底面１１２ｂとは、傾斜面１１２ｃにより連結されるが、これは、前記第１係止突起１１３の変形による衝撃を緩衝すると共に、前記収容部の両側面１１２ａと第２係止突起２１３の直線接点部２１３ｂとの間に接点が形成される場合に、作用される張力を緩衝するためのものである。
【００６１】
また、前記結合溝の内壁面１１１ａと収容部１１２との間には、第１係止突起１１３の変形時にそれを収容するための空間部１４０が設けられ、前記オスコネクタホルダー２００の内部の底面にも、前記第１係止突起１１３の変形時にそれを収容するための逃避溝２４０が形成されている。
【００６２】
一方、前記メス端子溶着部１１０ｂとオス端子溶着部２１０ｂとは、それぞれ第１溶着傾斜部１１０ｃと第２溶着傾斜部２１０ｃとにより、前記メス端子固定部１１０ａ及びオス端子固定部２１０ａの一側端部と連結されるように構成される。
【００６３】
したがって、前記メス端子溶着部１１０ｂとオス端子溶着部２１０ｂとをそれぞれ対応する基板にハンダ付けする場合、鉛が前記第１溶着傾斜部１１０ｃと第２溶着傾斜部２１０ｃとに沿って上昇するので、溶着力を大きく向上させることができる。
【００６４】
また、前記第１溶着傾斜部１１０ｃの幅は、メス端子溶着部１１０ｂの幅及びメス端子固定部１１０ａの幅より狭く形成され、第２溶着傾斜部２１０ｃの幅は、オス端子溶着部２１０ｂの幅及びオス端子固定部２１０ａの幅より狭く形成されるが、このような構成によって、メス及びオスコネクタホルダー１００，２００の組立時に、前記メス端子溶着部１１０ｂとオス端子溶着部２１０ｂとを、それぞれメス端子固定部１１０ａとオス端子固定部２１０ａとに垂直な方向に容易に折り曲げる。
【００６５】
一方、前記メス端子固定部１１０ａ及びオス端子固定部２１０ａの両側には、それぞれ少なくとも一つの第１くさび形突起１１０ｄと第２くさび形突起２１０ｄとが形成されているが、これは、メスコネクタホルダー１００及びオスコネクタホルダー２００から、それぞれメス端子１１０とオス端子２１０とが剥離されることを防止するためのものである。
【００６６】
この時、メス端子溶着部１１０ｂが連結されていない前記メス端子固定部１１０ａの他側端部の断面積は、結合方向に沿って次第に減少するように構成されるが、これは、前記メス端子１１０をメスコネクタホルダー１００に結合する場合、前記メス端子固定部１１０ａの他側端部を前記第１固定溝１１５に容易に案内するための構成である。
【００６７】
また、前記と同じ事由により、オス端子溶着部２１０ｂが連結されていない前記オス端子固定部２１０ａの他側端部の断面積も、結合方向に沿って次第に減少するように構成される。
【００６８】
第２実施形態
図１０及び図１１は、それぞれ本発明の第２実施形態による基板対基板タイプのコネクタを構成するメスコネクタホルダー１００とオスコネクタホルダー２００とを示す斜視図であり、図１２は、前記メスコネクタホルダー１００とオスコネクタホルダー２００との結合状態を示す斜視図である。
【００６９】
図１０ないし図１２に示すように、本発明による基板対基板タイプのコネクタは、複数個のメス端子１１０が結合されたメスコネクタホルダー１００と、複数個のオス端子２１０が結合されたオスコネクタホルダー２００とを備えて構成される。
【００７０】
この時、前記メスコネクタホルダー１００には、複数個のメス端子１１０が結合され、その上面には、結合溝１１１が形成されており、前記オスコネクタホルダー２００は、前記メスコネクタホルダー１００に結合され、前記メス端子１１０と電気的接点を形成する複数個のオス端子２１０とが結合される。
【００７１】
具体的に、オスコネクタホルダー２００は、前記結合溝１１１に嵌め結合され、前記メス端子１１０と電気的接点を形成する複数個のオス端子とが互いに対称であるように列をなして結合された結合突起２１１が上面枠から突設される。
【００７２】
図１３及び図１４は、それぞれ本発明の相異なる実施形態による基板対基板タイプのコネクタのメス端子１１０とオス端子２１０との構成を示す斜視図であり、図１５は、前記メス端子１１０とオス端子２１０との結合直前の状態を示す図面であり、図１６は、前記メス端子１１０とオス端子２１０とが結合された状態を示す断面図である。
【００７３】
本発明による基板対基板タイプのコネクタに備えられた前記メス端子１１０は、前記結合溝１１１に収容される‘Ｕ’字形収容部１１２、前記収容部１１２の両側面の中途で結合溝１１１の内側方向に対称的に突出した第１係止突起１１３、前記収容部１１２の両端から延びて、結合溝１１１の両側にそれぞれ形成された第１固定溝１１５に結合されたメス端子固定部１１０ａ、及び前記メス端子固定部１１０ａと垂直であり、メスコネクタホルダー１００の外側に形成されたメス端子溶着部１１０ｂを備えて構成される。
【００７４】
また、前記第１係止突起１１３は、収容部１１２の入口から後述する挿入部２１２の挿入方向に沿って突出した高さが次第に増加する第１傾斜部１１３ａと、前記第１傾斜部１１３ａから延びて、前記挿入方向に沿って突出した高さが次第に減少する第２傾斜部１１３ｂとから構成される。すなわち、くさび状になる。
【００７５】
この時、前記第１傾斜部１１３ａの傾斜度より第２傾斜部１１３ｂの傾斜度がさらに大きく形成されるが、このような構成によって、本発明による基板対基板タイプのコネクタは、メス及びオス端子１１０，２１０の結合時には、小さい力が要求されるが、前記メス及びオス端子１１０，２１０の分離時には、相対的に大きい力が要求されるため、前記メス及びオス端子１１０，２１０の結合状態を安定的に維持することができるという長所を有する。
【００７６】
一方、前記オス端子２１０は、前記結合突起２１１の外周面に沿って形成された‘Ｕ’字形挿入部２１２、前記挿入部２１２の両側面の中途で結合突起２１１の外側方向に対称的に突出した第２係止突起２１３、前記挿入部２１２の両端から延びて、結合突起２１１の両側にそれぞれ形成された第２固定溝２１５に結合されたオス端子固定部２１０ａ、及び前記オス端子固定部２１０ａと垂直であり、オスコネクタホルダー２００の外側に形成されたオス端子溶着部２１０ｂを備えて構成される。
【００７７】
また、前記第２係止突起２１３は、挿入部２１２の挿入方向に沿って突出した高さが次第に増加する第３傾斜部２１３ａ、前記第３傾斜部２１３ａから挿入部の両側面２１２ａと平行な方向に延設された直線接点部２１３ｂ、及び前記直線接点部２１３ｂに連結され、前記挿入方向に沿って突出した高さが次第に減少する第４傾斜部２１３ｃから構成される。すなわち、くさび状になる。
【００７８】
この時、前記第４傾斜部２１３ｃの傾斜度は、メス端子１１０に形成された第１傾斜部１１３ａの傾斜度と同一または類似して構成することで、前記メス及びオス端子１１０，２１０の結合時に、小さい力でも挿入部２１２を収容部１１２の内部に挿入させることが望ましい。
【００７９】
本発明の実施形態において、図１３及び図１４に示すように、前記第１係止突起１１３は、前記収容部１１２の両側の外側面から対向するそれぞれの内側面の方向に向かって、ベンディングまたはエンボシングまたはスリッティング成形工程を通じて突設され、前記第２係止突起２１３は、前記挿入部２１２の対向する内側面から両側の外側面の方向に向かって、ベンディングまたはエンボシングまたはスリッティング成形工程を通じて突設される。
【００８０】
ちなみに、前記第１及び第２係止突起１１３，２１３は、折り曲げられる前の板状の収容部１１２及び挿入部２１２にバーを残在させるパンチングなどの公知のプレス工程を通じて形成され、また、別途の部品で成形された後、収容部１１２及び挿入部２１２に溶接を通じて付着される。
【００８１】
このような構成により、前記嵌め結合時に、前記メス及びオス端子１１０，２１０は、前記収容部１１２と挿入部２１２との弾性変形による第１係止突起１１３の挿入部２１２への接触、及び第２係止突起２１３の収容部１１２への接触により、互いに堅固に結合されることが可能になる。この時、前記弾性変形によるテンションにより堅固な結合が可能である。
【００８２】
ちなみに、前記第１係止突起１１３と第２係止突起２１３とは、それぞれ左右対称をなすように形成され、前記嵌め結合時に、前記メス及びオス端子１１０，２１０が完壁にロッキングされた状態を有する。
【００８３】
すなわち、前記メス及びオス端子１１０，２１０は、前記エンボシングまたはスリッティングにより形成された第１及び第２係止突起のノッチ構造を有することで、相互結合時にその締結力がさらに堅固になる。
【００８４】
ちなみに、前記第１係止突起１１３と第２係止突起２１３との結合において、前記第１係止突起の第１傾斜部と第２係止突起の第４傾斜部とが互いに出合って対称的に結合されるように構成されている。
【００８５】
一方、前記スリッティング成形工程を通じて形成された第１及び第２係止突起１１３，２１３についてさらに詳細に説明すれば、図６（ｂ）及び図７（ｂ）に示すように、前記第１及び第２係止突起１１３，２１３には、それぞれの両側面が互いに連通するように切欠き部（図示せず）が形成され、これによって、第１及び第２係止突起１１３，２１３は、折り曲げられた板状になって自体的に弾性を有する。
【００８６】
したがって、前記第１及び第２係止突起１１３，２１３が自体的に弾性を有することで、メス及びオス端子１１０，２１０の嵌め結合時に、弾性的に圧縮された後で復元されることで、メス及びオス端子１１０，２１０の結合力をさらに向上させる。
【００８７】
前記のような構成により、本発明による基板対基板タイプのコネクタのメス及びオス端子１１０，２１０は、前述したように、第１係止突起１１３が備えられた‘Ｕ’字形になる収容部１１２と、第２係止突起２１３が備えられた‘Ｕ’字形になる挿入部２１２との弾性変形により互いに着脱される。
【００８８】
すなわち、前記メス及びオス端子１１０，２１０が結合される場合、オス端子２１０の底面２１２ｂ及び第４傾斜部２１３ｃが、メス端子１１０の第１係止突起１１３の第１傾斜部１１３ａに沿って自然に収容部１１２の内部に案内されることで、メス端子１１０の収容部１１２は、左右両側方向に広がり、前記第２係止突起２１３が前記収容部１１２の内部に完全に挿入されれば、弾性によって、前記収容部１１２は、本来の位置に復帰する。
【００８９】
この時、前記収容部１１２の内側面に互いに対向して形成された第１係止突起１１３は、その間の幅が前記挿入部の両側面２１２ａ間の幅より狭く構成されるため、前記第２係止突起２１３が第１係止突起１１３を通過する場合、両側に広がった第１係止突起１１３が弾性力により瞬間的に本来の位置に復帰しつつ、前記挿入部の両側面２１２ａと衝突しつつ衝突音を発生させる。
【００９０】
したがって、前記衝突音により、メス及びオス端子１１０，２１０の結合時にクリック感が向上することで、ユーザーは、前記メス及びオス端子１１０，２１０が正常に結合されたか否かを明確に認識することができるという長所がある。
【００９１】
また、前記メス及びオス端子１１０，２１０を分離する場合、オス端子２１０の第３傾斜部２１３ａが相対的に傾斜度の大きい第２傾斜部１１３ｂに沿って案内されるため、前述したメス及びオス端子１１０，２１０の結合時よりさらに大きい力が要求され、その結果、前述したように、本発明による基板対基板タイプのコネクタは、メス及びオス端子の結合状態を安定的に維持することができる。
【００９２】
また、前述したように、本発明による基板対基板タイプのコネクタは、メス及びオス端子１１０，２１０の着脱時に、前記メス端子１１０が左右両方向の対称に変形される構成であるため、前記メス及びオス端子１１０，２１０の着脱時に、メス端子１１０に作用する応力が両方向に分散される。
【００９３】
したがって、前記第１係止突起１１３及び両側の収容部１１２それぞれに作用する応力が従来の技術に比べて大きく減少するため、長時間使用する場合にも、前記メス及びオス端子１１０，２１０の弾性力が維持されて、メス及びオス端子１１０，２１０間の電気的接触を安定的に維持することができるという長所がある。
【００９４】
本発明の実施形態において、前記直線接点部２１３ｂ間の幅は、収容部の対向する内側面１１２ａ間の幅と同一であるか、またはそれよりわずか大きく形成されるため、本発明による基板対基板タイプのコネクタは、前記メス及びオス端子１１０，２１０の結合時に、収容部の内側面１１２ａと第２係止突起２１３の直線接点部２１３ｂとの間、及び前記第１係止突起１１３と挿入部の両側面２１２ａとの間で二重的に電気的接点が形成される。
【００９５】
以上、本発明の望ましい実施形態を説明したが、本発明の範囲は、このような特定の実施形態のみに限定されず、当業者ならば、本発明の特許請求の範囲内に記載された範疇内で適切に変更または修正が可能である。
【００９６】
一例として、前記収容部１１２の対向する内側面に少なくとも二つ以上の係止突起が形成され、前記挿入部２１２の外側面には、前記係止突起が挿入されるように、係止突起と対応する個数の係止溝が形成される。
【００９７】
また、これと逆に、前記収容部１１２の対向する内側面に少なくとも二つ以上の係止溝が形成され、前記挿入部２１２の外側面には、前記係止溝に挿入されるように、係止溝と対応する個数の係止突起が形成されてもよい。
【図１】
2012532422.tif 000003
【図２】
2012532422.tif 000004
【図３】
2012532422.tif 000005
【図４】
2012532422.tif 000006
【図５】
2012532422.tif 000007
【図６】
2012532422.tif 000008
【図７】
2012532422.tif 000009
【図８】
2012532422.tif 000010
【図９】
2012532422.tif 000011
【図１０】
2012532422.tif 000012
【図１１】
2012532422.tif 000013
【図１２】
2012532422.tif 000014
【図１３（ａ）】
2012532422.tif 000015
【図１３（ｂ）】
2012532422.tif 000016
【図１４（ａ）】
2012532422.tif 000017
【図１４（ｂ）】
2012532422.tif 000018
【図１５】
2012532422.tif 000019
【図１６】
2012532422.tif 000020
【国際調査報告】
2012532422.tif 000021
2012532422.tif 000022
2012532422.tif 000023
2012532422.tif 000024